(57)【要約】【課題】効率的に上りリンク送信を実行することができる【解決手段】端末装置は、ＰＵＳＣＨの送信のために割り当てられる１つのインタレースを示す情報を受信し、ＰＵＳＣＨの送信を行い、１つのインタレースはＧ個のＰＲＢから構成され、上りリンクセル帯域幅に含まれるＧ個のサブバンドのそれぞれは、周波数領域において重複しない連続するＨ個のＰＲＢから構成され、前記連続するＨ個のＰＲＢのそれぞれは、異なるインタレースに対応し、ｍ番目のサブバンドにおけるｎ番目のＰＲＢが対応するインタレースは、ｍ＋１番目のサブバンドにおけるｎ番目のＰＲＢが対応するインタレースとは異なる。【選択図】図９
2019125819.tif 000002
【特許請求の範囲】
【請求項１】
ＰＵＳＣＨの送信のために割り当てられる１つのインタレースを示す情報を受信する受信部、および、
前記ＰＵＳＣＨの送信を行う送信部と、を備え、
前記１つのインタレースはＧ個のＰＲＢから構成され、
上りリンクセル帯域幅に含まれるＧ個のサブバンドのそれぞれは、周波数領域において重複しない連続するＨ個のＰＲＢから構成され、
前記連続するＨ個のＰＲＢのそれぞれは、異なるインタレースに対応し、
ｍ番目のサブバンドにおけるｎ番目のＰＲＢが対応するインタレースは、ｍ＋１番目のサブバンドにおけるｎ番目のＰＲＢが対応するインタレースとは異なる
端末装置。
【請求項２】
前記１つのインタレースに対応するＧ個のＰＲＢのうち、ｋ番目のＰＲＢのＰＲＢインデックス、および、ｋ＋ａ番目のＰＲＢのＰＲＢインデックスの差は、（ａ−１）・Ｈ＋１からａ・Ｈ−１である
請求項１の端末装置。
【請求項３】
前記１つのインタレースに対応するＰＲＢのＰＲＢインデックスは、疑似ランダム係数に基づいて与えられる
請求項１の端末装置。
【請求項４】
ＰＵＳＣＨの送信のために割り当てられる１つのインタレースを示す情報を送信する送信部、および、
前記ＰＵＳＣＨの送信の受信を行う受信部と、を備え、
前記１つのインタレースはＧ個のＰＲＢから構成され、
上りリンクセル帯域幅に含まれるＧ個のサブバンドのそれぞれは、周波数領域において重複しない連続するＨ個のＰＲＢから構成され、
前記連続するＨ個のＰＲＢのそれぞれは、異なるインタレースに対応し、
ｍ番目のサブバンドにおけるｎ番目のＰＲＢが対応するインタレースは、ｍ＋１番目のサブバンドにおけるｎ番目のＰＲＢが対応するインタレースとは異なる
基地局装置。
【請求項５】
前記１つのインタレースに対応するＧ個のＰＲＢのうち、ｋ番目のＰＲＢのＰＲＢインデックス、および、ｋ＋ａ番目のＰＲＢのＰＲＢインデックスの差は、（ａ−１）・Ｈ＋１からａ・Ｈ−１である
請求項４の基地局装置。
【請求項６】
前記１つのインタレースに対応するＰＲＢのＰＲＢインデックスは、疑似ランダム係数に基づいて与えられる
請求項４の基地局装置。
【請求項７】
端末装置に用いられる通信方法であって、
ＰＵＳＣＨの送信のために割り当てられる１つのインタレースを示す情報を受信し、
前記ＰＵＳＣＨの送信を行い、
前記１つのインタレースはＧ個のＰＲＢから構成され、
上りリンクセル帯域幅に含まれるＧ個のサブバンドのそれぞれは、周波数領域において重複しない連続するＨ個のＰＲＢから構成され、
前記連続するＨ個のＰＲＢのそれぞれは、異なるインタレースに対応し、
ｍ番目のサブバンドにおけるｎ番目のＰＲＢが対応するインタレースは、ｍ＋１番目の
サブバンドにおけるｎ番目のＰＲＢが対応するインタレースとは異なる
通信方法。
【請求項８】
基地局装置に用いられる通信方法であって、
ＰＵＳＣＨの送信のために割り当てられる１つのインタレースを示す情報を送信し、
前記ＰＵＳＣＨの送信の受信を行い、
前記１つのインタレースはＧ個のＰＲＢから構成され、
上りリンクセル帯域幅に含まれるＧ個のサブバンドのそれぞれは、周波数領域において重複しない連続するＨ個のＰＲＢから構成され、
前記連続するＨ個のＰＲＢのそれぞれは、異なるインタレースに対応し、
ｍ番目のサブバンドにおけるｎ番目のＰＲＢが対応するインタレースは、ｍ＋１番目のサブバンドにおけるｎ番目のＰＲＢが対応するインタレースとは異なる
通信方法。
【請求項９】
端末装置に実装される集積回路であって、
ＰＵＳＣＨの送信のために割り当てられる１つのインタレースを示す情報を受信する受信回路、および、
前記ＰＵＳＣＨの送信を行う送信回路と、を備え、
前記１つのインタレースはＧ個のＰＲＢから構成され、
上りリンクセル帯域幅に含まれるＧ個のサブバンドのそれぞれは、周波数領域において重複しない連続するＨ個のＰＲＢから構成され、
前記連続するＨ個のＰＲＢのそれぞれは、異なるインタレースに対応し、
ｍ番目のサブバンドにおけるｎ番目のＰＲＢが対応するインタレースは、ｍ＋１番目のサブバンドにおけるｎ番目のＰＲＢが対応するインタレースとは異なる
集積回路。
【請求項１０】
基地局装置に実装される集積回路であって、
ＰＵＳＣＨの送信のために割り当てられる１つのインタレースを示す情報を送信する送信回路、および、
前記ＰＵＳＣＨの送信の受信を行う受信回路と、を備え、
前記１つのインタレースはＧ個のＰＲＢから構成され、
上りリンクセル帯域幅に含まれるＧ個のサブバンドのそれぞれは、周波数領域において重複しない連続するＨ個のＰＲＢから構成され、
前記連続するＨ個のＰＲＢのそれぞれは、異なるインタレースに対応し、
ｍ番目のサブバンドにおけるｎ番目のＰＲＢが対応するインタレースは、ｍ＋１番目のサブバンドにおけるｎ番目のＰＲＢが対応するインタレースとは異なる
集積回路。
【発明の詳細な説明】
【技術分野】
【０００１】
本発明は、端末装置、基地局装置、通信方法、および、集積回路に関する。
【背景技術】
【０００２】
セルラー移動通信の無線アクセス方式および無線ネットワーク（以下、「Long Term Evolution （LTE: 登録商標）」、または、「Evolved Universal Terrestrial Radio Access : EUTRA」と称する。）が、第三世代パートナーシッププロジェクト（3rd Generation Partnership Project: 3GPP）において検討されている。ＬＴＥでは、基地局装置をｅＮ
ｏｄｅＢ（evolved NodeB）、端末装置をＵＥ（User Equipment）とも称する。ＬＴＥは
、基地局装置がカバーするエリアをセル状に複数配置するセルラー通信システムである。単一の基地局装置は複数のセルを管理してもよい。
【０００３】
ＬＴＥリリース１３において、端末装置が複数のサービングセル（コンポーネントキャリア）において同時に送信、および／または、受信を行う技術であるキャリアアグリゲーションが仕様化されている（非特許文献１、２、３）。ＬＴＥリリース１４において、ライセンス補助アクセス（LAA: Licensed Assisted Access）の機能拡張、および、アンラ
イセンスバンド（unlicensed band）における上りリンクキャリアを用いたキャリアアグ
リゲーションが検討されている（非特許文献４）。非特許文献６において、アンライセンスバンドにおける上りリンクキャリアを用いたＰＲＡＣＨ（Physical Random Access Channel）の送信が検討されている。非特許文献５において、ＰＵＳＣＨのためにＲＢレベルマルチクラスタ送信をサポートすることが記載されている。ＲＢレベルマルチクラスタ送信は、ＯＣＢ規制（Occupied Channel Bandwidth regulation）を満たすために導入が検
討されている。しかし、ＲＢの間隔が等距離であることが原因となって、高いＩＭＤ（intermodulation distortion）電力が生成されることが問題である。
【先行技術文献】
【非特許文献】
【０００４】
【非特許文献１】"3GPP TS 36.211 V13.1.0 (2016-03)", 29th March, 2016.
【非特許文献２】"3GPP TS 36.212 V13.1.0 (2016-03)", 29th March, 2016.
【非特許文献３】"3GPP TS 36.213 V13.1.1 (2016-03)", 31th March, 2016.
【非特許文献４】"New Work Item on enhanced LAA for LTE", RP-152272, Ericsson, Huawei, 3GPP TSG RAN Meeting#70, Sitges, Spain, 7th - 10th December 2015.
【非特許文献５】"On the Intermodulation Distortion Issue with Multi-cluster Transmission", R1-162355, Intel, 3GPP TSG RAN1 Meeting#84bis, Busan, Korea, 11th - 15th April 2016.
【発明の概要】
【発明が解決しようとする課題】
【０００５】
本発明は、効率的に上りリンク送信を行うことができる端末装置、該端末装置に用いられる通信方法、該端末装置に実装される集積回路、効率的に上りリンク送信の受信を行うことができる基地局装置、該基地局装置に用いられる通信方法、および、該基地局装置に実装される集積回路を提供する。
【課題を解決するための手段】
【０００６】
（１）本発明の態様は、以下のような手段を講じた。すなわち、本発明の第１の態様は、端末装置であって、ＰＵＳＣＨの送信のために割り当てられる１つのインタレースを示す情報を受信する受信部、および、前記ＰＵＳＣＨの送信を行う送信部と、を備え、前記
１つのインタレースはＧ個のＰＲＢから構成され、上りリンクセル帯域幅に含まれるＧ個のサブバンドのそれぞれは、周波数領域において重複しない連続するＨ個のＰＲＢから構成され、前記連続するＨ個のＰＲＢのそれぞれは、異なるインタレースに対応し、ｍ番目のサブバンドにおけるｎ番目のＰＲＢが対応するインタレースは、ｍ＋１番目のサブバンドにおけるｎ番目のＰＲＢが対応するインタレースとは異なる。
【０００７】
（２）本発明の第２の態様は、基地局装置であって、ＰＵＳＣＨの送信のために割り当てられる１つのインタレースを示す情報を送信する送信部、および、前記ＰＵＳＣＨの送信の受信を行う受信部と、を備え、前記１つのインタレースはＧ個のＰＲＢから構成され、上りリンクセル帯域幅に含まれるＧ個のサブバンドのそれぞれは、周波数領域において重複しない連続するＨ個のＰＲＢから構成され、前記連続するＨ個のＰＲＢのそれぞれは、異なるインタレースに対応し、ｍ番目のサブバンドにおけるｎ番目のＰＲＢが対応するインタレースは、ｍ＋１番目のサブバンドにおけるｎ番目のＰＲＢが対応するインタレースとは異なる。
【０００８】
（３）本発明の第３の態様は、端末装置に用いられる通信方法であって、端末装置に用いられる通信方法であって、ＰＵＳＣＨの送信のために割り当てられる１つのインタレースを示す情報を受信し、前記ＰＵＳＣＨの送信を行い、前記１つのインタレースはＧ個のＰＲＢから構成され、上りリンクセル帯域幅に含まれるＧ個のサブバンドのそれぞれは、周波数領域において重複しない連続するＨ個のＰＲＢから構成され、前記連続するＨ個のＰＲＢのそれぞれは、異なるインタレースに対応し、ｍ番目のサブバンドにおけるｎ番目のＰＲＢが対応するインタレースは、ｍ＋１番目のサブバンドにおけるｎ番目のＰＲＢが対応するインタレースとは異なる。
【０００９】
（４）本発明の第４の態様は、基地局装置に用いられる通信方法であって、基地局装置に用いられる通信方法であって、ＰＵＳＣＨの送信のために割り当てられる１つのインタレースを示す情報を送信し、前記ＰＵＳＣＨの送信の受信を行い、前記１つのインタレースはＧ個のＰＲＢから構成され、上りリンクセル帯域幅に含まれるＧ個のサブバンドのそれぞれは、周波数領域において重複しない連続するＨ個のＰＲＢから構成され、前記連続するＨ個のＰＲＢのそれぞれは、異なるインタレースに対応し、ｍ番目のサブバンドにおけるｎ番目のＰＲＢが対応するインタレースは、ｍ＋１番目のサブバンドにおけるｎ番目のＰＲＢが対応するインタレースとは異なる。
【００１０】
（５）本発明の第５の態様は、端末装置に実装される集積回路であって、端末装置に実装される集積回路であって、ＰＵＳＣＨの送信のために割り当てられる１つのインタレースを示す情報を受信する受信回路、および、前記ＰＵＳＣＨの送信を行う送信回路と、を備え、前記１つのインタレースはＧ個のＰＲＢから構成され、上りリンクセル帯域幅に含まれるＧ個のサブバンドのそれぞれは、周波数領域において重複しない連続するＨ個のＰＲＢから構成され、前記連続するＨ個のＰＲＢのそれぞれは、異なるインタレースに対応し、ｍ番目のサブバンドにおけるｎ番目のＰＲＢが対応するインタレースは、ｍ＋１番目のサブバンドにおけるｎ番目のＰＲＢが対応するインタレースとは異なる。
【００１１】
（６）本発明の第６の態様は、基地局装置に実装される集積回路であって、基地局装置に実装される集積回路であって、ＰＵＳＣＨの送信のために割り当てられる１つのインタレースを示す情報を送信する送信回路、および、前記ＰＵＳＣＨの送信の受信を行う受信回路と、を備え、前記１つのインタレースはＧ個のＰＲＢから構成され、上りリンクセル帯域幅に含まれるＧ個のサブバンドのそれぞれは、周波数領域において重複しない連続するＨ個のＰＲＢから構成され、前記連続するＨ個のＰＲＢのそれぞれは、異なるインタレースに対応し、ｍ番目のサブバンドにおけるｎ番目のＰＲＢが対応するインタレースは、ｍ＋１番目のサブバンドにおけるｎ番目のＰＲＢが対応するインタレースとは異なる。
【発明の効果】
【００１２】
この発明によれば、端末装置は効率的に上りリンク送信を行うことができる。また、基地局装置は効率的に上りリンク送信の受信を行うすることができる。
【図面の簡単な説明】
【００１３】
【図１】本実施形態の無線通信システムの概念図である。
【図２】本実施形態の無線フレームの概略構成を示す図である。
【図３】本実施形態における上りリンクスロットの概略構成を示す図である。
【図４】本実施形態におけるインタレースの一例を示す図である。
【図５】本実施形態におけるＶＲＢをＰＲＢにマップする方法の一例を示す図である。
【図６】本実施形態におけるマップパターンの一例を示す図である。
【図７】本実施形態におけるＶＲＢからＰＲＢへの第１のマッピング方法の一例を示した図である。
【図８】本実施形態におけるＶＲＢからＰＲＢへの第２のマッピング方法の一例を示した図である。
【図９】本実施形態の端末装置１の構成を示す概略ブロック図である。
【図１０】本実施形態の基地局装置３の構成を示す概略ブロック図である。
【発明を実施するための形態】
【００１４】
以下、本発明の実施形態について説明する。
【００１５】
図１は、本実施形態の無線通信システムの概念図である。図１において、無線通信システムは、端末装置１Ａ〜１Ｃ、および基地局装置３を具備する。以下、端末装置１Ａ〜１Ｃを端末装置１という。
【００１６】
以下、キャリアアグリゲーションについて説明する。
【００１７】
本実施形態では、端末装置１は、複数のサービングセルが設定される。端末装置１が複数のサービングセルを介して通信する技術をセルアグリゲーション、またはキャリアアグリゲーションと称する。端末装置１に対して設定される複数のサービングセルのそれぞれにおいて、本発明が適用されてもよい。また、設定された複数のサービングセルの一部において、本発明が適用されてもよい。また、設定された複数のサービングセルのグループのそれぞれにおいて、本発明が適用されてもよい。また、設定された複数のサービングセルのグループの一部において、本発明が適用されてもよい。複数のサービングセルは、少なくとも１つのプライマリセルを含む。複数のサービングセルは、１つ、または、複数のセカンダリセルを含んでもよい。複数のサービングセルは、１つ、または、複数のＬＡＡ（Licensed Assisted Access）セルを含んでもよい。ＬＡＡセルを、ＬＡＡセカンダリセルとも称する。
【００１８】
プライマリセルは、初期コネクション確立（initial connection establishment）手順が行なわれたサービングセル、コネクション再確立（connection re-establishment）手
順を開始したサービングセル、または、ハンドオーバ手順においてプライマリセルと指示されたセルである。ＲＲＣ（Radio Resource Control）コネクションが確立された時点、または、後に、セカンダリセル、および／または、ＬＡＡセルが設定されてもよい。プライマリセルは、ライセンスバンド（licensed band）に含まれてもよい。ＬＡＡセルは、
アンライセンスバンド（unlicensed band）に含まれてもよい。セカンダリセルは、ライ
センスバンド、および、アンライセンスバンドの何れに含まれてもよい。
【００１９】
下りリンクにおいて、サービングセルに対応するキャリアを下りリンクコンポーネントキャリアと称する。上りリンクにおいて、サービングセルに対応するキャリアを上りリンクコンポーネントキャリアと称する。下りリンクコンポーネントキャリア、および、上りリンクコンポーネントキャリアを総称して、コンポーネントキャリアと称する。
【００２０】
端末装置１は、複数のサービングセル（コンポーネントキャリア）において同時に複数の物理チャネルでの送信、および／または受信を行うことができる。１つの物理チャネルは、複数のサービングセル（コンポーネントキャリア）のうち１つのサービングセル（コンポーネントキャリア）において送信される。
【００２１】
本実施形態の物理チャネルおよび物理信号について説明する。
【００２２】
図１において、端末装置１から基地局装置３への上りリンクの無線通信では、以下の上りリンク物理チャネルが用いられる。上りリンク物理チャネルは、上位層から出力された情報を送信するために使用される。
・ＰＵＳＣＨ（Physical Uplink Shared Channel）
ＰＵＳＣＨは、上りリンクデータ（Transport block, Uplink-Shared Channel: UL-SCH）を送信するために用いられる。
【００２３】
図１において、上りリンクの無線通信では、以下の上りリンク物理シグナルが用いられる。上りリンク物理シグナルは、上位層から出力された情報を送信するために使用されないが、物理層によって使用される。
・ＤＭＲＳ（Demodulation Reference Signal）
ＤＭＲＳは、ＰＵＳＣＨの送信に関連する。ＤＭＲＳは、ＰＵＳＣＨと時間多重される。基地局装置３は、ＰＵＳＣＨの伝搬路補正を行なうためにＤＭＲＳを使用してもよい。
【００２４】
図１において、基地局装置３から端末装置１への下りリンクの無線通信では、以下の下りリンク物理チャネルが用いられる。下りリンク物理チャネルは、上位層から出力された情報を送信するために使用される。
・ＰＤＣＣＨ（Physical Downlink Control Channel）
ＰＤＣＣＨは、下りリンク制御情報（Downlink Control Information: DCI）を送信す
るために用いられる。下りリンク制御情報を、ＤＣＩフォーマットとも称する。下りリンク制御情報は、上りリンクグラント（uplink grant）を含む。上りリンクグラントは、単一のセル内の単一のＰＵＳＣＨのスケジューリングに用いられる。上りリンクグラントは、該上りリンクグラントが送信されたサブフレームより４つ以上後のサブフレーム内の単一のＰＵＳＣＨのスケジューリングに用いられてもよい。
【００２５】
ＵＬ−ＳＣＨは、トランスポートチャネルである。媒体アクセス制御（Medium Access Control: MAC）層で用いられるチャネルをトランスポートチャネルと称する。ＭＡＣ層で用いられるトランスポートチャネルの単位を、トランスポートブロック（transport block: TB）またはＭＡＣ  ＰＤＵ（Protocol Data Unit）とも称する。
【００２６】
以下、本実施形態の無線フレーム（radio frame）の構成について説明する。
【００２７】
図２は、本実施形態の無線フレームの概略構成を示す図である。図２において、横軸は時間軸である。無線フレームのそれぞれは、１０ｍｓ長である。また、無線フレームのそれぞれは１０のサブフレームから構成される。サブフレームのそれぞれは、１ｍｓ長であり、２つの連続するスロットによって定義される。スロットのそれぞれは、０．５ｍｓ長である。無線フレーム内のｉ番目のサブフレームは、（２×ｉ）番目のスロットと（２×ｉ＋１）番目のスロットとから構成される。つまり、１０ｍｓ間隔のそれぞれにおいて、
１０個のサブフレームが利用できる。
【００２８】
以下、本実施形態のスロットの構成の一例について説明する。図３は、本実施形態における上りリンクスロットの概略構成を示す図である。図３において、１つのセルにおける上りリンクスロットの構成を示す。図３において、横軸は時間軸であり、縦軸は周波数軸である。図３において、ｌはＳＣ−ＦＤＭＡシンボル番号／インデックスであり、ｋはサブキャリア番号／インデックスである。
【００２９】
スロットのそれぞれにおいて送信される物理シグナルまたは物理チャネルは、リソースグリッドによって表現される。上りリンクにおいて、リソースグリッドは複数のサブキャリアと複数のＳＣ−ＦＤＭＡシンボルによって定義される。リソースグリッド内のエレメントのそれぞれをリソースエレメントと称する。リソースエレメントは、サブキャリア番号／インデックスｋ、および、ＳＣ−ＦＤＭＡシンボル番号／インデックスｌによって表される。
【００３０】
上りリンクスロットは、時間領域において、複数のＳＣ−ＦＤＭＡシンボルｌ（l=0,1,…,NULsymb）を含む。NULsymbは、１つの上りリンクスロットに含まれるＳＣ−ＦＤＭＡ
シンボルの数を示す。上りリンクにおけるノーマルＣＰ（normal Cyclic Prefix）に対して、NULsymbは７である。上りリンクにおける拡張ＣＰ（extended ＣＰ）に対して、NULsymbは６である。
【００３１】
端末装置１は、上りリンクにおけるＣＰ長を示すパラメータUL-CyclicPrefixLengthを
基地局装置３から受信する。基地局装置３は、セルに対応する該パラメータUL-CyclicPrefixLengthを含むシステムインフォメーションを、該セルにおいて報知してもよい。
【００３２】
上りリンクスロットは、周波数領域において、複数のサブキャリアｋ（k=0,1,…,NULRB×NRBsc)を含む。NULRBは、NRBscの倍数によって表現される、サービングセルに対する上りリンク帯域幅設定である。NRBscは、サブキャリアの数によって表現される、周波数領
域における（物理）リソースブロックサイズである。サブキャリア間隔Δfは１５ｋＨｚ
であり、NRBscは１２であってもよい。すなわち、NRBscは、１８０ｋＨｚであってもよい。
【００３３】
リソースブロック（ＲＢ）は、物理チャネルのリソースエレメントへのマッピングを表すために用いられる。リソースブロックは、仮想リソースブロック（ＶＲＢ）と物理リソースブロック（ＰＲＢ）が定義される。物理チャネルは、まず仮想リソースブロックにマップされる。その後、仮想リソースブロックは、物理リソースブロックにマップされる。１つの物理リソースブロックは、時間領域においてNULsymbの連続するＳＣ−ＦＤＭＡシ
ンボルと周波数領域においてNRBscの連続するサブキャリアとから定義される。ゆえに、
１つの物理リソースブロックは（NULsymb×NRBsc）のリソースエレメントから構成される。１つの物理リソースブロックは、時間領域において１つのスロットに対応する。物理リソースブロックは周波数領域において、周波数の低いほうから順に番号nPRB（0,1,…, NULRB -1）が付けられる。
【００３４】
本実施形態における下りリンクのスロットは、複数のＯＦＤＭシンボルを含む。本実施形態における下りリンクのスロットの構成は、リソースグリッドが複数のサブキャリアと複数のＯＦＤＭシンボルによって定義される
点を除いて基本的に同じであるため、下りリンクのスロットの構成の説明は省略する。
【００３５】
以下、本実施形態におけるＰＵＳＣＨリソースの割り当て方法について説明する。
【００３６】
インタレースは、ＰＵＳＣＨリソース割り当ての単位である。１つのインタレースは、複数のＲＢから構成される。１つのインタレースに対応する複数のＲＢは不連続であってもよい。上りリンクグラントは、ＰＵＳＣＨ送信のために割り当てられるインタレースのインタレースインデックスｈを示してもよい。上りリンクグラントは、１つ、または、複数のインタレースインデックスを示してもよい。当該１つ、または、複数のインタレースインデックスは、インタレースインデックスの開始位置、および、長さによって示されてもよい。当該１つ、または、複数のインタレースインデックスは、ビットマップによって示されてもよい。
【００３７】
図４は、本実施形態におけるインタレースの一例を示す図である。図４において、横軸はＶＲＢインデックスnVRBである。Vg,hは、インタレースインデックスｈのインタレースを構成するｇ番目のＶＲＢである。図４において、インタレースを構成するＲＢの数Ｇは１０であり、サービングセルに対する上りリンク帯域幅設定NULRBは５０であり、且つ、
上りリンク送信帯域幅に含まれるインタレースの数Ｈは５である。図４において、あるインタレースｈに対応するＶＲＢは等間隔に配置される。複数のインタレースのそれぞれに対応するｇ番目のＶＲＢのＶＲＢインデックスは連続する。複数のインタレースのそれぞれに対応するｇ番目のＶＲＢから構成されるグループを、サブバンドとも称する。すなわち、ｇ番目のサブバンドはVRB｛Vg-1,0, Vg-1,1,…, Vg-1,H-1｝から構成される。１つのサブバンドに含まれるＶＲＢのそれぞれは異なるインタレースに対応する。また、ｇはサブバンドインデックスとも呼称される。
【００３８】
図５は、本実施形態におけるＶＲＢをＰＲＢにマップする方法の一例を示す図である。図５において、横軸はＶＲＢインデックスnVRB、および、ＰＲＢインデックスnPRBである。Vg,hは、インタレースインデックスｈのインタレースを構成するｇ番目のＶＲＢである。Pg,hは、インタレースインデックスｈのインタレースを構成するｇ番目のＰＲＢである。図５において、インタレースを構成するＲＢの数Ｇは１０であり、サービングセルに対する上りリンク帯域幅設定NULRBは５０であり、且つ、上りリンク送信帯域幅に含まれる
インタレースの数Ｈは５である。図５において、ＰＵＳＣＨ送信のために用いられるＰＲＢのセットは、数式（１）によって与えられる。数式（１）において、nVRBは、上りリンクグラントによって示されるインタレースに対応するＶＲＢのＶＲＢインデックスである。
【００３９】
【数１】
2019125819.tif 000003
【００４０】
ＶＲＢからＰＲＢへのマップのパターンを、マップパターンと称する。図６は、本実施形態におけるマップパターンの一例を示す図である。サブバンド毎に異なるマップパターンが適用されてもよい。例えば、図５における偶数番目のサブバンドに対してマップパターンＡが適用されてもよく、図５における奇数番目のサブバンドに対してマップパターンＢが適用されてもよい。
【００４１】
以下では、ＶＲＢからＰＲＢへのマップパターンを提供する、マッピング方法の一例を示す。
【００４２】
ＶＲＢからＰＲＢへの第１のマッピング方法は以下の数式２から数式４に基づく。
【００４３】
【数２】
2019125819.tif 000004
【００４４】
【数３】
2019125819.tif 000005
【００４５】
【数４】
2019125819.tif 000006
【００４６】
ここで、ｇｖはＶＲＢのためのサブバンドインデックスであり、ｈｖはＶＲＢのためのインタレースインデックスであり、ｇｐはＰＲＢのためのサブバンドインデックスであり、ｈｐはＰＲＢのためのサブバンドインデックスである。また、Ｍ１（）は、擬似ランダム関数である。また、ｃｉｎｉｔは擬似ランダム関数の初期化のための値である。第１のマッピング方法は、まず、ｇｖに基づき異なる擬似ランダム値が与えられる。次いで、サブバンドごとに与えられる擬似ランダム値を、割り当てられるＰＲＢのスタートとして、１または複数のインタレースが割り当てられる方法であってもよい。
【００４７】
図７は、本実施形態におけるＶＲＢからＰＲＢへの第１のマッピング方法の一例を示した図である。図７において、実線は、インタレース０に対応するＶＲＢのＰＲＢへのマッピング（割り当てられるＰＲＢのスタート）を示しており、点線は、インタレース０以外に対応するＶＲＢのＰＲＢへのマッピングを示している。割り当てられるＰＲＢのスタートは、擬似ランダム関数Ｍ１（）により擬似的にランダム化されてもよい。図７に示されるように、第１のマッピング方法は、割り当てられるＰＲＢのスタートを基準として、各インタレースが循環的に設定されてもよい。
【００４８】
ＶＲＢからＰＲＢへの第２のマッピング方法は、数式３、４、および、５に基づく。
【００４９】
【数５】
2019125819.tif 000007
【００５０】
ここで、Ｌｗは、割り当てられるＰＲＢのスタートに関する回転子の役割を備える値であり、Ｃは任意の定数である。第２のマッピング方法は、ｇｖに基づき、各サブバンドのＰＲＢのスタートが循環的に移動する方法であるということができる。例えば、Ｌｗがサブバンドサイズに対して十分に大きい、または、Ｌｗとサブバンドサイズが互いに素の関係にある場合に、発明の効果が大きい。なお、Ｌｗがサブバンドサイズに対して十分に大きくない、かつ、Ｌｗとサブバンドサイズが互いに素の関係にない場合においても、発明の効果が期待される。
【００５１】
図８は、本実施形態におけるＶＲＢからＰＲＢへの第２のマッピング方法の一例を示した図である。
【００５２】
なお、第１及び第２のマッピング方法において、インタレースｈｐの決定方法は数式３
に限定されない。例えば、第１及び第２のマッピング方法において、インタレースｈｐは、以下の数式６に基づいてもよい。
【００５３】
【数６】
2019125819.tif 000008
【００５４】
ここで、Ｆ１（）は、任意の関数である。例えば、Ｆ１（）は、擬似ランダム関数であってもよい。また、Ｆ１（）は、Ｆ１（ｘ）＝ａ１ｘ＋ｂ１で与えられる一次関数またはそれ以外の関数であってもよい。ここで、ａ１及びｂ１は任意の値である。
【００５５】
数式７は、擬似ランダム関数Ｍ１（）またはＦ１（）の一例を示す数式である。
【００５６】
【数７】
2019125819.tif 000009
【００５７】
ここで、ｃ（）は擬似ランダム系列であり、例えば、Ｍ系列やＧｏｌｄ系列であってもよい。数式７は、０からＨ−１の範囲で、擬似的にランダムな値を出力する関数である。なお、本実施形態に係る擬似ランダム関数とは、擬似的にランダムな値を生成する関数であればよく、Ｍ１（）は数式７に限定されない。
【００５８】
例えば、ｃ（）は、数式８により与えられてもよい。
【００５９】
【数８】
2019125819.tif 000010
【００６０】
なお、擬似ランダム系列ｃ（）は、擬似的にランダムな系列または数式や法則に基づき値が生成される方法であればよく、数式８による方法に限定されない。
【００６１】
本実施形態において、擬似的にランダムであるとは、出力結果が長期間にわたってランダム性が認められる性質を必ずしも満たさなくてもよい。本実施形態において、擬似的にランダムであるとは、出力結果が比較的短期間（例えば、Ｇ期間またはＨ期間等）において、ランダム性が認められる性質が満たされればよい。つまり、本実施形態において、擬似的にランダムな関数Ｍ１（）及びＦ１（）は、連続する高々Ｇ個またはＨ個の値に対してランダム性が認められればよい。また、擬似的にランダムな系列ｃ（）は、連続する高々Ｇ個またはＨ個の系列に対してランダム性が認められればよい。
【００６２】
ＶＲＢからＰＲＢへのマッピング方法として、第１または第２のマッピングを適用することにより、ｇ番目のサブバンドにおけるｈ番目のＰＲＢが対応するインタレースは、ｇ＋１番目のＰＲＢが対応するインタレースと異なる。また、ＶＲＢからＰＲＢへのマッピング方法として、第１または第２のマッピングを適用することにより、一つのインタレースに対応するＨ個のＰＲＢのうち、ｈ番目のＰＲＢのＰＲＢインデックス、および、ｋ＋ａ番目のＰＲＢインデックスの差は、（ａ−１）ＮＵＬＰＲＢ／Ｈ＋１からａＮＵＬＰＲＢ／Ｈ−１となる。ここで、ａは任意の自然数、整数または実数である。
【００６３】
端末装置１、および、基地局装置３は、ｃｉｎｉｔを、ＰＣＩ（Physical layer Cell Identity）、無線フレーム内のスロットインデックスns、上位層の信号、Ｃ−ＲＮＴＩ、ＰＵＳＣＨの送信を指示するＤＣＩのＣＣＥ  ｉｎｄｅｘ、予め設定される情報、予め仕様書等によって定義される値、ＵＥ固有の値、またはセル固有の値等に基づいて設定してもよい。セルサーチは、端末装置１がセルのＰＣＩを検出する手順である。セルサーチを容易にする（facilitate）ために下りリンクにおいて同期信号が送信される。
【００６４】
第１のマッピング方法および第２のマッピング方法は、割当可能な周波数帯域の一部または一部のサブバンドのみに適用されてもよい。また、例えば、第１のマッピング方法および第２のマッピング方法は、奇数番目のサブバンド、または偶数番目のサブバンドに適用されてもよい。
【００６５】
以下、本実施形態における装置の構成について説明する。
【００６６】
図９は、本実施形態の端末装置１の構成を示す概略ブロック図である。図示するように、端末装置１は、無線送受信部１０、および、上位層処理部１４を含んで構成される。無線送受信部１０は、アンテナ部１１、ＲＦ（Radio Frequency）部１２、および、ベース
バンド部１３を含んで構成される。上位層処理部１４は、媒体アクセス制御層処理部１５、無線リソース制御層処理部１６、および、送信電力制御部１７を含んで構成される。無線送受信部１０を送信部、受信部、または、物理層処理部とも称する。
【００６７】
上位層処理部１４は、ユーザの操作等により生成された上りリンクデータ（トランスポートブロック）を、無線送受信部１０に出力する。上位層処理部１４は、媒体アクセス制御（MAC: Medium Access Control）層、パケットデータ統合プロトコル（Packet Data Convergence Protocol: PDCP）層、無線リンク制御（Radio Link Control: RLC）層、無線
リソース制御（Radio Resource Control: RRC）層の処理を行なう。
【００６８】
上位層処理部１４が備える媒体アクセス制御層処理部１５は、媒体アクセス制御層の処理を行う。媒体アクセス制御層処理部１５は、無線リソース制御層処理部１６によって管理されている各種設定情報／パラメータに基づいて、ランダムアクセス手順の制御を行う。
【００６９】
上位層処理部１４が備える無線リソース制御層処理部１６は、無線リソース制御層の処理を行う。無線リソース制御層処理部１６は、自装置の各種設定情報／パラメータの管理をする。無線リソース制御層処理部１６は、基地局装置３から受信した上位層の信号に基づいて各種設定情報／パラメータをセットする。すなわち、無線リソース制御層処理部１６は、基地局装置３から受信した各種設定情報／パラメータを示す情報に基づいて各種設定情報／パラメータをセットする。
【００７０】
上位層処理部１４が備える送信電力制御部１７は、ＰＲＡＣＨ（ランダムアクセスプリアンブル）送信に対する送信電力の設定を行う。
【００７１】
無線送受信部１０は、変調、復調、符号化、復号化などの物理層の処理を行う。無線送受信部１０は、基地局装置３から受信した信号を、分離、復調、復号し、復号した情報を上位層処理部１４に出力する。無線送受信部１０は、データを変調、符号化することによって送信信号を生成し、基地局装置３に送信する。
【００７２】
ＲＦ部１２は、アンテナ部１１を介して受信した信号を、直交復調によりベースバンド信号に変換し（ダウンコンバート: down covert）、不要な周波数成分を除去する。ＲＦ
部１２は、処理をしたアナログ信号をベースバンド部に出力する。
【００７３】
ベースバンド部１３は、ＲＦ部１２から入力されたアナログ信号を、アナログ信号をディジタル信号に変換する。ベースバンド部１３は、変換したディジタル信号からＣＰ（Cyclic Prefix）に相当する部分を除去し、ＣＰを除去した信号に対して高速フーリエ変換
（Fast Fourier Transform: FFT）を行い、周波数領域の信号を抽出する。
【００７４】
ベースバンド部１３は、データを逆高速フーリエ変換（Inverse Fast Fourier Transform: IFFT）して、ＳＣ−ＦＤＭＡシンボルを生成し、生成されたＳＣ−ＦＤＭＡシンボルにＣＰを付加し、ベースバンドのディジタル信号を生成し、ベースバンドのディジタル信号をアナログ信号に変換する。ベースバンド部１３は、変換したアナログ信号をＲＦ部１２に出力する。
【００７５】
ＲＦ部１２は、ローパスフィルタを用いてベースバンド部１３から入力されたアナログ信号から余分な周波数成分を除去し、アナログ信号を搬送波周波数にアップコンバート（up convert）し、アンテナ部１１を介して送信する。また、ＲＦ部１２は、電力を増幅する。また、ＲＦ部１２は送信電力を制御する機能を備えてもよい。ＲＦ部１２を送信電力制御部とも称する。
【００７６】
図１０は、本実施形態の基地局装置３の構成を示す概略ブロック図である。図示するように、基地局装置３は、無線送受信部３０、および、上位層処理部３４を含んで構成される。無線送受信部３０は、アンテナ部３１、ＲＦ部３２、および、ベースバンド部３３を含んで構成される。上位層処理部３４は、媒体アクセス制御層処理部３５、および、無線リソース制御層処理部３６を含んで構成される。無線送受信部３０を送信部、受信部、または、物理層処理部とも称する。
【００７７】
上位層処理部３４は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。
【００７８】
上位層処理部３４が備える媒体アクセス制御層処理部３５は、媒体アクセス制御層の処理を行う。媒体アクセス制御層処理部３５は、無線リソース制御層処理部３６によって管理されている各種設定情報／パラメータに基づいて、ランダムアクセス手順の制御を行う。
【００７９】
上位層処理部３４が備える無線リソース制御層処理部３６は、無線リソース制御層の処理を行う。無線リソース制御層処理部３６は、物理下りリンク共用チャネルに配置される下りリンクデータ（トランスポートブロック）、システムインフォメーション、ＲＲＣメッセージ、ＭＡＣ  ＣＥ（Control Element）などを生成し、又は上位ノードから取得し
、無線送受信部３０に出力する。また、無線リソース制御層処理部３６は、端末装置１各々の各種設定情報／パラメータの管理をする。無線リソース制御層処理部３６は、上位層
の信号を介して端末装置１各々に対して各種設定情報／パラメータをセットしてもよい。すなわち、無線リソース制御層処理部３６は、各種設定情報／パラメータを示す情報を送信／報知する。
【００８０】
無線送受信部３０の機能は、無線送受信部１０と同様であるため説明を省略する。
【００８１】
端末装置１が備える符号１０から符号１６が付された部のそれぞれは、回路として構成されてもよい。基地局装置３が備える符号３０から符号３６が付された部のそれぞれは、回路として構成されてもよい。
【００８２】
以下、本実施形態における、端末装置１および基地局装置３の種々の態様について説明する。
【００８３】
（１）本実施形態の第１の態様は、端末装置１であって、ＰＵＳＣＨの送信のために割り当てられる１つのインタレースを示す情報（上りリンクグラント）を受信する受信部、および、前記ＰＵＳＣＨの送信を行う送信部と、を備え、前記１つのインタレースはＧ個のＰＲＢから構成され、上りリンクセル帯域幅に含まれるＧ個のサブバンドのそれぞれは、周波数領域において重複しない連続するＨ個のＰＲＢから構成され、前記連続するＨ個のＰＲＢのそれぞれは、異なるインタレースに対応し、ｍ番目のサブバンドにおけるｎ番目のＰＲＢが対応するインタレースは、ｍ＋１番目のサブバンドにおけるｎ番目のＰＲＢが対応するインタレースとは異なる。
【００８４】
（２）本実施形態の第２の態様は、基地局装置３であって、ＰＵＳＣＨの送信のために割り当てられる１つのインタレースを示す情報（上りリンクグラント）を送信する送信部、および、前記ＰＵＳＣＨの送信の受信を行う受信部と、を備え、前記１つのインタレースはＧ個のＰＲＢから構成され、上りリンクセル帯域幅に含まれるＧ個のサブバンドのそれぞれは、周波数領域において重複しない連続するＨ個のＰＲＢから構成され、前記連続するＨ個のＰＲＢのそれぞれは、異なるインタレースに対応し、ｍ番目のサブバンドにおけるｎ番目のＰＲＢが対応するインタレースは、ｍ＋１番目のサブバンドにおけるｎ番目のＰＲＢが対応するインタレースとは異なる。
【００８５】
（３）本実施形態の第１および第２の態様において、前記１つのインタレースに対応するＧ個のＰＲＢのうち、ｋ番目のＰＲＢのＰＲＢインデックス、および、ｋ＋ａ番目のＰＲＢのＰＲＢインデックスの差は、（ａ−１）・Ｈ＋１からａ・Ｈ−１である。
【００８６】
（４）本実施形態の第１および第３の態様において、前記１つのインタレースに対応するＰＲＢのＰＲＢインデックスは、疑似ランダム係数に基づいて与えられる。
【００８７】
これにより、端末装置１は効率的に上りリンク送信を実行することができる。また、基地局装置３は効率的に上りリンク送信の受信を実行することができる。
【００８８】
本発明に関わる基地局装置３、および端末装置１で動作するプログラムは、本発明に関わる上記実施形態の機能を実現するように、ＣＰＵ（Central Processing Unit）等を制
御するプログラム（コンピュータを機能させるプログラム）であっても良い。そして、これら装置で取り扱われる情報は、その処理時に一時的にＲＡＭ（Random Access Memory）に蓄積され、その後、Ｆｌａｓｈ  ＲＯＭ（Read Only Memory)などの各種ＲＯＭやＨＤ
Ｄ（Hard Disk Drive）に格納され、必要に応じてＣＰＵによって読み出し、修正・書き
込みが行われる。
【００８９】
尚、上述した実施形態における端末装置１、基地局装置３の一部、をコンピュータで実
現するようにしても良い。その場合、この制御機能を実現するためのプログラムをコンピュータが読み取り可能な記録媒体に記録して、この記録媒体に記録されたプログラムをコンピュータシステムに読み込ませ、実行することによって実現しても良い。
【００９０】
尚、ここでいう「コンピュータシステム」とは、端末装置１、又は基地局装置３に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【００９１】
さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【００９２】
また、上述した実施形態における基地局装置３は、複数の装置から構成される集合体（装置グループ）として実現することもできる。装置グループを構成する装置の各々は、上述した実施形態に関わる基地局装置３の各機能または各機能ブロックの一部、または、全部を備えてもよい。装置グループとして、基地局装置３の一通りの各機能または各機能ブロックを有していればよい。また、上述した実施形態に関わる端末装置１は、集合体としての基地局装置と通信することも可能である。
【００９３】
また、上述した実施形態における基地局装置３は、ＥＵＴＲＡＮ（Evolved Universal Terrestrial Radio Access Network）であってもよい。また、上述した実施形態における基地局装置３は、ｅＮｏｄｅＢに対する上位ノードの機能の一部または全部を有してもよい。
【００９４】
また、上述した実施形態における端末装置１、基地局装置３の一部、又は全部を典型的には集積回路であるＬＳＩとして実現してもよいし、チップセットとして実現してもよい。端末装置１、基地局装置３の各機能ブロックは個別にチップ化してもよいし、一部、又は全部を集積してチップ化してもよい。また、集積回路化の手法はＬＳＩに限らず専用回路、又は汎用プロセッサで実現しても良い。また、半導体技術の進歩によりＬＳＩに代替する集積回路化の技術が出現した場合、当該技術による集積回路を用いることも可能である。
【００９５】
また、上述した実施形態では、通信装置の一例として端末装置を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置にも適用出来る。
【００９６】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【符号の説明】
【００９７】
１（１Ａ、１Ｂ、１Ｃ）  端末装置
３  基地局装置
１０  無線送受信部
１１  アンテナ部
１２  ＲＦ部
１３  ベースバンド部
１４  上位層処理部
１５  媒体アクセス制御層処理部
１６  無線リソース制御層処理部
３０  無線送受信部
３１  アンテナ部
３２  ＲＦ部
３３  ベースバンド部
３４  上位層処理部
３５  媒体アクセス制御層処理部
３６  無線リソース制御層処理部
【図１】
2019125819.tif 000011
【図２】
2019125819.tif 000012
【図３】
2019125819.tif 000013
【図４】
2019125819.tif 000014
【図５】
2019125819.tif 000015
【図６】
2019125819.tif 000016
【図７】
2019125819.tif 000017
【図８】
2019125819.tif 000018
【図９】
2019125819.tif 000019
【図１０】
2019125819.tif 000020